(57)【要約】【課題】  自動風雑音低減回路の動作を撮影者の嗜好に合わせて設定できる構成を実現する【解決手段】  自動風雑音低減回路において、風雑音レベル検出値より一意的にHPFカットオフ周波数を決めるHPFカットオフ周波数設定部に、決定されたカットオフ周波数へ移行開始する時間を撮影者が任意設定できるHPF応答開始時間設定部を組み合わせて、風雑音発生レベルを様々な撮影者のイメージに合った形で集音できるようにする。【選択図】  図３
2009124414.tif 000002
【特許請求の範囲】
【請求項１】
集音手段で得られた音声信号から風雑音レベルを検出する風雑音レベル検出手段と、その検出結果に応じて集音手段の後段に配された連続的にカットオフ周波数を変化させるＨＰＦ手段のカットオフ周波数の設定値を算出するＨＰＦカットオフ周波数算出手段と、撮影者が希望する風雑音集音状態になるよう、応答時間設定値を入力する自動風雑音低減応答時間設定入力手段と、既入力手段によりＨＰＦカットオフ周波数算出手段の設定値を時間軸を遅らせてＨＰＦカットオフ周波数制御部に反映させるＨＰＦカットオフアップ応答待機時間設定部と、既ＨＰＦカットオフアップ応答待機時間設定手段の出力により、撮影者が意図した形の応答で、前記ＨＰＦ手段を制御するＨＰＦカットオフ周波数制御手段をもつことを特徴とするビデオカメラ装置。
【請求項２】
集音手段で得られた音声信号から風雑音レベルを検出する風雑音レベル検出手段と、風雑音レベル検出手段の出力からＨＰＦカットオフ周波数を算出するＨＰＦカットオフ周波数算出手段と、撮影者が風の音も集音したい場合その設定を入力する自動風雑音低減応答設定入力手段と、既自動風雑音低減応答設定入力手段により風雑音レベル検出手段の出力をシフトする風雑音レベル検出値シフト手段と、既風雑音レベル検出値シフト手段の出力信号から前記ＨＰＦ手段を制御するＨＰＦカットオフ周波数制御手段をもつことを特徴とするビデオカメラ装置。
【発明の詳細な説明】
【技術分野】
【０００１】
本発明はマイクの風雑音低減機能を備えたビデオカメラ装置に関するものである。
【背景技術】
【０００２】
従来のビデオカメラ装置にはマイクの風雑音低減機能を備え、撮影時に風がマイクに当たることにより発生する風雑音を改善する手法を施したものがある。
（例えば特許文献１参照。）
以下、図１により従来の改善手法について説明する。
【０００３】
図１において１０はＬｃｈ音声信号を集音するところのＬｃｈマイク、２０はＲｃｈ音声信号を集音するところのＲｃｈマイク、３０はＬｃｈマイク出力信号を増幅するところのＬｃｈ初段マイクアンプ、４０はＲｃｈマイク出力信号を増幅するところのＲｃｈ初段マイクアンプ、５０はＬｃｈ信号を遅延させるところのＬｃｈマトリックス遅延器、６０はＲｃｈ信号を遅延させるところのＲｃｈマトリックス遅延器、７０はＬｃｈ信号を減衰させるところのＬｃｈマトリックス減衰器、８０はＲｃｈ信号を減衰させるところのＲｃｈマトリックス減衰器、９０はＲｃｈマトリックス遅延器とＲｃｈマトリックス減衰器を経由したＲｃｈ信号をＬｃｈ初段マイクアンプの出力信号から減算するところのＬｃｈマトリックス減算器、１００はＬｃｈ遅延器とＬｃｈ減衰器を経由したＬｃｈ信号をＲｃｈ初段マイクアンプの出力信号から減算するところのＲｃｈ減算器、１１０はＬｃｈ減算器出力の周波数特性を補正するところのＬｃｈ等化器、１２０はＲｃｈ減算器出力の周波数特性を補正するところのＲｃｈ等化器、１３０は信号処理後のＬｃｈ信号を出力するところのＬｃｈ出力部、１４０は信号処理後のＲｃｈ信号を出力するところのＲｃｈ出力部、１５０はＬｃｈ等化器出力の高域信号を抜き出すところのＬｃｈＨＰＦ、１６０はＲｃｈ等化器出力の高域信号を抜き出すところのＲｃｈＨＰＦ、１７０はＬｃｈ等化器出力を減衰させるところのＬｃｈ等化器出力減衰器、１８０はＬｃｈＨＰＦ出力を減衰させるところのＬｃｈＨＰＦ出力減衰器、１９０はＲｃｈ等化器出力を減衰させるところのＲｃｈ等化器出力減衰器、２００はＲｃｈＨＰＦ出力を減衰させるところのＲｃｈＨＰＦ出力減衰器、２１０はＬｃｈ等化器出力減衰器の出力とＬｃｈＨＰＦ出力減衰器の出力を加算するＬｃｈ加算器、２２０はＲｃｈ等化器出力減衰器の出力とＲｃｈＨＰＦ出力減衰器の出力を加算するＲｃｈ加算器、２３０はＬｃｈマイク出力とＲｃｈマイク出力から差信号（Ｌ−Ｒ）を生成するところの差信号生成器、２４０は差信号生成器の出力の低域信号を抜き出すところのＬＰＦ、２５０はＬＰＦ出力のピーク値を検出するところのピーク検出部である。
【０００４】
尚、これまで説明してきた各部の中で、便箋上風雑音低減に関係しない部分は割愛して以下動作説明する。
【０００５】
近傍に配置される二つのマイク１０及び２０から出力される音声信号は、音波が空気中の波動であるため特に波長が長くなる低周波領域で相関性が強くなる。云い換えれば二つのマイクが出力する信号はほぼ相似なものとなる。
【０００６】
それに対し風雑音は、風がマイク振動膜にランダムに当たることにより発生するもので、２つのマイク出力の相関性が極めて薄く且つ低周波領域でレベルが高いという特性を持つ。
【０００７】
この特性を利用し本事例では、２つのマイク出力を差信号生成器２３０に入力し差信号（Ｌ−Ｒ）を生成する。このレベルは同相信号が主成分である音波の場合差信号（Ｌ−Ｒ）は低く、相関性の薄い風雑音の場合は逆にレベルは高くなる。その後、風雑音の主帯域である低周波領域をＬＰＦ２４０で抜き出し、その値をピーク検出部２５０で検出することで、風雑音検出信号を作り出している。風雑音検出信号のレベルにより、Ｌｃｈ等化器出力減衰器１７０（Ｒｃｈ等化器出力減衰器１９０）とＬｃｈＨＰＦ出力減衰器１８０（ＲｃｈＨＰＦ出力減衰器２００）の減衰量を制御しそれぞれの出力信号をＬｃｈ加算器２１０（Ｒｃｈ加算器２２０）で加算することで風雑音の主帯域である低周波領域のレベルを下げ、風雑音を低減している。
【０００８】
上記の例として、下記特許文献１をあげることが出来る。
【特許文献１】特開平５−７３９２号公報（第６頁、図１）
【発明の開示】
【発明が解決しようとする課題】
【０００９】
しかしながら、前記事例には以下の不具合がある。
【００１０】
風雑音を撮影時の状況を伝える環境音の一つと捕らえ、ある程度の風雑音は集音し残したいと考えるユーザーが存在するのに対し、風雑音を純粋な雑音と捉えできるだけ入らないことを望むユーザーの存在もある等、自動風雑音低減機能に要求される応答動作は使用者によって異なってしまう場合がある。
【００１１】
それに対し、前記事例では風雑音低減動作の応答は基本的に固定であり、撮影者の意図をその応答に反映できる構成にはなっていない。
【００１２】
本出願に係る第一の発明の目的は、自動風雑音低減動作の応答を選択可能とし、撮影者の希望に応じて最適の自動低減動作を提供することを目的とする。
【課題を解決するための手段】
【００１３】
上記目的を達成するため本出願に係る第一の発明は、風雑音レベル検出結果を風雑音低減HPFに反映させる際、撮影者の希望によりその反映の応答時間を任意で設定するHPFカットオフアップ応答待機時間設定部と、希望する応答設定を撮影者が入力するウインドカット応答設定入力部を持つことを特徴とする。
【発明の効果】
【００１４】
以上説明したように、風雑音レベル検出により設定される風雑音低減HPFの設定値を実動作に反映させる際、撮影者がその反映までの応答を任意に設定できるようにすることで、自動風雑音低減動作であっても、希望する風雑音レベルでの集音が可能となる。
【発明を実施するための最良の形態】
【００１５】
次に、本発明の詳細を実施例の記述に従って説明する。
【実施例１】
【００１６】
図２、図３は本発明の特徴をもっとも良く表す図画である。
【００１７】
図２は本発明を適用するビデオカメラ装置全体のブロック図を示したものであり、図２において１は光学画像を取り込むところのレンズ部、２は光学画像を電気信号に変換するところのＣＣＤ部、３はＣＣＤ部からの電気信号を処理するところのカメラ信号処理部、４は音を集音するところのマイク部、５は音声信号を処理するところのオーディオ信号処理部、６はビデオ信号を処理するところのビデオ信号処理部、７はビデオカメラ装置全体の制御を行うところのシステムコントロール部、８はビデオカメラ装置で信号の入出力を行うところの入出力部、９は記録再生処理を行うところの記録再生処理部、１０は記録媒体にデータを記録或いは記録媒体からデータを再生するところのメカ、１１は表示データを処理するところの表示信号処理部、１２は表示信号処理部からのデータを表示する表示部である。
【００１８】
次に図３は図２中の４マイク、５オーディオ信号処理部及び７システムコントロール部に適応された本発明を示す図であり、図３において１はＬｃｈ音声信号を集音するところのＬｃｈマイク、２はＬｃｈマイク１からの出力信号を増幅するところのＬｃｈ初段アンプ、３は風雑音検出結果からＬｃｈ音声信号の低周波領域のレベルを制御するＬｃｈＨＰＦ、４はＲｃｈ音声信号を集音するところのＲｃｈマイク、５はＲｃｈマイク４からの出力信号を増幅するところのＲｃｈ初段アンプ、６は風雑音検出結果からＲｃｈ音声信号の低周波領域のレベルを制御するＲｃｈＨＰＦ、７はＬｃｈ初段アンプ２とＲｃｈ初段アンプ５の出力信号から風雑音レベルを検出する風雑音レベル検出部、８は風雑音レベル検出部の出力レベルからＬｃｈＨＰＦ  ３とＲｃｈＨＰＦ  ６の設定すべきカットオフ周波数値を算出するＨＰＦカットオフ周波数算出部、９はＬｃｈＨＰＦ  ３とＲｃｈＨＰＦ  ６のカットオフ周波数を前段の情報から制御するところのHPFカットオフ周波数制御部、１０は自動風雑音低減応答時間設定入力部１１より撮影者に設定された応答の待機時間を持たせて、HPFカットオフ周波数算出部の値をHPFカットオフ周波数制御部９に反映させるところのHPFカットオフアップ応答待機時間設定部、１１はHPFカットオフアップ応答待機時間設定部１０の応答待機時間を撮影者が設定するところの自動風雑音低減応答時間設定入力部である。
【００１９】
以下図３について各ブロックの動作について説明する。
【００２０】
Ｌｃｈマイク１、Ｒｃｈマイク４によって集音された音声信号はそれぞれＬｃｈ初段マイクアンプ２、Ｒｃｈ初段マイクアンプに入力され、増幅された後、風雑音低減用のＬｃｈＨＰＦ３、ＲｃｈＨＰＦ６に入力される傍ら、音声信号中の風雑音レベルを検出する風雑音レベル検出部７に入力される。この検出結果からＬｃｈＨＰＦ３、ＲｃｈＨＰＦ６の設定すべきカットオフ周波数を、ＨＰＦカットオフ周波数算出部８で算出しＨＰＦカットオフアップ応答待機時間設定部１０に入力される。ＨＰＦカットオフアップ応答待機時間設定部１０は、自動風雑音低減応答時間設定入力部１１より、撮影者の希望する風雑音の記録状態になるよう設定入力する部分であり、ある設定幅（0〜0.5秒程度）の応答待機時間を設定可能で、この設定値を振ることによりＨＰＦカットオフアップ応答待機時間設定部１０の待機時間を調整することができる。
【００２１】
風雑音をできるだけ低減させて記録したい場合、自動風雑音低減応答時間設定入力部１１より、待機時間を短く設定するよう撮影者が入力すると、ＨＰＦカットオフアップ応答待機時間設定部１０は時間遅れ無しにＨＰＦカットオフ周波数算出部８の出力結果をＨＰＦカットオフ周波数制御部９に伝達し、ＬｃｈＨＰＦ３とＲｃｈＨＰＦ６のカットオフ周波数を瞬時に上げるため、風雑音を極力抑えた集音が可能となる。
【００２２】
それに対し、撮影者が撮影時の環境音として風雑音もある程度のレベルで記録したい場合、自動風雑音低減応答時間設定入力部１１より待機時間を長めに設定するよう撮影者が入力する。この場合、ＨＰＦカットオフ周波数算出部の値は待機時間の設定値に合わせて、ある時間待機した後ＨＰＦカットオフ周波数制御部９に伝達されるため瞬時に風雑音は低減されず、撮影者が希望する時間待った後に自動風雑音低減動作がスタートする。
【００２３】
このため風雑音はある程度のレベルで集音され、自動風雑音低減動作でありながら撮影者の意図を反映した撮影が可能となる。
【実施例２】
【００２４】
図４は図２中の４マイク、５オーディオ信号処理部及び７システムコントロール部に適応された本発明を示す図であり、図４において１はＬｃｈ音声信号を集音するところのＬｃｈマイク、２はＬｃｈマイク１からの出力信号を増幅するところのＬｃｈ初段アンプ、３は風雑音検出結果からＬｃｈ音声信号の低周波領域のレベルを制御するＬｃｈＨＰＦ、４はＲｃｈ音声信号を集音するところのＲｃｈマイク、５はＲｃｈマイク４からの出力信号を増幅するところのＲｃｈ初段アンプ、６は風雑音検出結果からＲｃｈ音声信号の低周波領域のレベルを制御するＲｃｈＨＰＦ、７はＬｃｈ初段アンプ２とＲｃｈ初段アンプ５の出力信号から風雑音レベルを検出する風雑音レベル検出部、８は風雑音レベル検出部７の出力と、ＬｃｈＨＰＦ３、ＲｃｈＨＰＦ６のカットオフ周波数をどの周波数まで上げるかを算出するＨＰＦカットオフ周波数算出部１０の間に有って、検出値と算出値の対応を撮影者の希望する設定に従ってシフトする風雑音レベル検出シフト部、９はＬｃｈＨＰＦ３とＲｃｈＨＰＦ６のカットオフ周波数を前段の情報から制御するところのＨＰＦカットオフ周波数制御部、１０は風雑音レベル検出シフト部８の出力値に応じてＬｃｈＨＰＦ３とＲｃｈＨＰＦ６のカットオフ周波数を算出するＨＰＦカットオフ周波数算出部、１１は風雑音レベル検出シフト部８に、撮影者が風雑音の集音意図に沿って入力設定するところの、自動風雑音低減応答設定入力部である。
【００２５】
通常動作時、風雑音レベル検出部７からの検出値に対応するＨＰＦカットオフ周波数算出部１０の値が一意的に決定され、ＨＰＦカットオフ周波数制御部９を経由してＬｃｈＨＰＦ３、ＲｃｈＨＰＦ６のカットオフ周波数を変化させ、風雑音を可能な限り低減させるよう動作する。基本的に風雑音レベル検出部７の検出値が高ければ、ＨＰＦのカットオフは高い周波数に変化する。
【００２６】
それに対し、撮影者が風雑音も有る程度は集音したい場合、撮影者は自動風雑音低減応答設定入力部１１を操作して、風雑音レベル検出シフト部８の設定を、風雑音レベル検出部７の検出結果がデフォルト設定値に対して低くＨＰＦカットオフ周波数算出部１０に伝達されるよう動作する。
【００２７】
風雑音レベル検出シフト部８は、撮影者の希望設定により、風雑音レベル検出部７の出力値を低減させてＨＰＦカットオフ周波数算出部１０へ送り、風雑音を極力出さないデフォルトの設定値に対し、ＬｃｈＨＰＦ３、ＲｃｈＨＰＦ６のカットオフ周波数が上がりにくい方向にシフトする働きをもつ。
【００２８】
この設定変更により、同じレベルの風が検出されても、ＬｃｈＨＰＦ３、ＲｃｈＨＰＦ６のカットオフ周波数が高くなりにくくなり、結果として撮影者が望むように、ある程度の風雑音を集音することが可能となる。
【図面の簡単な説明】
【００２９】
【図１】本発明を適用する以前の従来事例を示す図である
【図２】本発明の第一の実施例に係るビデオカメラ装置全体の構成を示す図である
【図３】本発明の第一の実施例に係る風雑音集音の撮影者の希望による可変設定構成を示した図である。
【図４】本発明の第二の実施例に係る風雑音集音の撮影者の希望による可変設定構成を示した図である。
【符号の説明】
【００３０】
図１において
１０  Ｌｃｈマイク
２０  Ｒｃｈマイク
３０  Ｌｃｈ初段マイクアンプ
４０  Ｒｃｈ初段マイクアンプ
５０  Ｌｃｈマトリックス遅延器
６０  Ｒｃｈマトリックス遅延器
７０  Ｌｃｈマトリックス減衰器
８０  Ｒｃｈマトリックス減衰器
９０  Ｌｃｈマトリックス減算器
１００  Ｒｃｈマトリックス減算器
１１０  Ｌｃｈ等化器
１２０  Ｒｃｈ等化器
１３０  Ｌｃｈ出力部
１４０  Ｒｃｈ出力部
１５０  ＬｃｈＬＰＦ
１６０  ＲｃｈＬＰＦ
１７０  Ｌｃｈ等化器出力減衰器
１８０  ＬｃｈＨＰＦ出力減衰器
１９０  Ｒｃｈ等化器出力減衰器
２００  ＲｃｈＨＰＦ出力減衰器
２１０  Ｌｃｈ加算器
２２０  Ｒｃｈ加算器
２３０  差信号生成器
２４０    ＬＰＦ
２５０    ピーク検出部
図２において
１  レンズ部
２  ＣＣＤ部
３  カメラ信号処理部
４  マイク部
５  オーディオ信号処理部
６  ビデオ信号処理部
７  システムコントロール部
８  入出力部
９  記録再生処理部
１０  メカ  
１１  表示信号処理部
１２  表示部
図３において
１  Ｌｃｈマイク
２  Ｌｃｈ初段アンプ
３  ＬｃｈＨＰＦ
４  Ｒｃｈマイク
５  Ｒｃｈ初段アンプ
６  ＲｃｈＨＰＦ
７  風雑音レベル検出部
８  HPFカットオフ周波数算出部    ９  HPFカットオフ周波数制御部
１  ０HPHカットオフアップ応答待機時間設定部
１１  自動風雑音低減応答時間設定入力部
図４において
１  Ｌｃｈマイク
２  Ｌｃｈ初段アンプ
３  ＬｃｈＨＰＦ
４  Ｒｃｈマイク
５  Ｒｃｈ初段アンプ
６  ＲｃｈＨＰＦ
７  風雑音レベル検出部
８  風雑音レベル検出値シフト部
９  HPFカットオフ周波数制御部
１０  HPFカットオフ周波数算出部
１１  自動風雑音低減応答時間設定入力部
【図１】
2009124414.tif 000003
【図２】
2009124414.tif 000004
【図３】
2009124414.tif 000005
【図４】
2009124414.tif 000006